(57)【特許請求の範囲】
【請求項１】
縦枠と横枠との組み立て状態で前記縦枠の端部が横枠の上面または下面に当接する部位における接合部シール構造であって、
前記縦枠は、見込み方向の縦枠側板部と、この縦枠側板部の内面側であって相対的に室内側に位置する枠部とを有し、かつ前記枠部は室内側後部側壁、内面がわ側板部および室外側前部側壁からなるとともに、前記内面がわ側板部の室外側が前記室外側前部側壁よりも室外側に突出し、該枠部が横枠の上面または下面に当接する構造とされ、
前記縦枠側板部と、前記室外側前部側壁と、前記内面がわ側板部とで囲まれたコ字状ラインを水密的に室内外を分断する水密ラインとして設定し、該水密ラインで囲まれた方形部分に室外側から不定形シール材を充填するか、定形ブロック状シール材を配設するか、或いは定形シート状シール材を配設することによって、前記水密ラインに沿った隙間を封鎖するようにし、かつ前記縦枠の端部が横枠の上面または下面に当接する部位における、室内外方向に沿う横枠当接面のほぼ全幅に亘るシール施工を省略したことを特徴とするカーテンウォールにおける縦枠および横枠の接合部シール構造。
【発明の詳細な説明】
【０００１】
【発明の属する技術分野】
本発明は、カーテンウォールにおける縦枠および横枠の接合部シール構造に関する。
【０００２】
【従来の技術】
近年、ビルなどの建築工事においては、予め工場で製作されたカーテンウォールを外壁部分に順に建て込んでいくカーテンウォール工法が主流となっている。
【０００３】
かかるカーテンウォール工法においては、縦枠および横枠を主たる構成部材としてガラス取付け枠部を形成するようにしているが、前記縦枠と横枠との接合部では、水密性を確保するためにシールを施工している。
【０００４】
たとえば、図１５に示されるカーテンウォール構造において、縦枠６１と横枠６２との接合部、具体的には縦枠６１の板材端部が横枠の上面に当接する部位において、室外側にシール材がはみ出さないようにシールするには、縦枠の板材端面と横枠上面との間隙部分に前記縦枠板材の肉厚相当幅でシールを行わなければならず、実質的にはかなりの困難が伴う。そこで、縦枠６１の中空部内側にシール面を確保するため、図１６に示されるように、予め縦枠６１の板材６１ａ下端部に発泡ポリエチレン、合成ゴム等からなるＬ字形状の１次バックアップ材６３を接着剤により固定するとともに、前記バックアップ材６３の凹部に一次不定形シール材６４を充填しておき、前記縦枠６１を横枠６２に対して接合した後、二次バックアップ材６５を深部に詰め込んだ後、二次不定形シール材６６を充填するようにしていた。
【０００５】
【発明が解決しようとする課題】
しかしながら、前述した縦枠６１と横枠６２との接合部シール構造の場合には、一次不定形シール材６４が固まるまで二次不定形シール材６６の施工が出来ないため、作業手順の調整に日数が掛かっているとともに、図１５に示されるように、縦枠６１と横枠６２との接合部において、縦枠６１の部材断面の内、室内外方向に沿う横枠当接面（線）のほぼ全幅に亘ってシールを施工しなければならず、シール施工に多くの時間と手間が掛かっていた。
【０００６】
そこで本発明の主たる課題は、縦枠と横枠との組み立て後に、縦枠の端部が横枠上面またか下面に当接する部位において、縦枠の部材断面の内、室内外方向に沿う横枠当接面（線）のほぼ全幅に亘るシール施工を省略し、一部分のみのシール施工で水密性を確保するとともに、１回のシール施工で水密性を確実に確保するようにしたカーテンウォールにおける縦枠および横枠の接合部シール構造を提供することにある。
【０００７】
【課題を解決するための手段】
前記課題を解決するための請求項１に係る本発明として、縦枠と横枠との組み立て状態で前記縦枠の端部が横枠の上面または下面に当接する部位における接合部シール構造であって、
前記縦枠は、見込み方向の縦枠側板部と、この縦枠側板部の内面側であって相対的に室内側に位置する枠部とを有し、かつ前記枠部は室内側後部側壁、内面がわ側板部および室外側前部側壁からなるとともに、前記内面がわ側板部の室外側が前記室外側前部側壁よりも室外側に突出し、該枠部が横枠の上面または下面に当接する構造とされ、
前記縦枠側板部と、前記室外側前部側壁と、前記内面がわ側板部とで囲まれたコ字状ラインを水密的に室内外を分断する水密ラインとして設定し、該水密ラインで囲まれた方形部分に室外側から不定形シール材を充填するか、定形ブロック状シール材を配設するか、或いは定形シート状シール材を配設することによって、前記水密ラインに沿った隙間を封鎖するようにし、かつ前記縦枠の端部が横枠の上面または下面に当接する部位における、室内外方向に沿う横枠当接面のほぼ全幅に亘るシール施工を省略したことを特徴とするカーテンウォールにおける縦枠および横枠の接合部シール構造が提供される。
【０００８】
【発明の実施の形態】
以下、本発明の実施の形態について図面を参照しながら詳述する。
【０００９】
〔カーテンウォール構造〕
図１は本発明に係るユニット式カーテンウォールの正面図、図２は図１のII−II線矢視図、図３は図１のIII−III線矢視図、図４は図１のIV−IV線矢視図である。
【００１０】
同図に示されるカーテンウォール構造は、図２〜図４に示されるように、方立を左右に分割構造とし、分割方立１３Ａ、１３Ｂを一体的に備える縦枠３Ａ、３Ｂ、上・下横枠４Ａ、４Ｂおよび図示の例では中間横枠５を含んで枠状部材を構成するとともに、この枠状部材の室外面側に縦押縁６Ａ、６Ｂおよび横押縁７Ａ、７Ｂを取付け、ガラスＧ、Ｇ（複層ガラス）を嵌め込んだパネルユニットＵを、建物躯体（床）の端部に固定された方立支持金具に順に取り付けるようにしたフルユニット方式スプリットマリオン工法の例である。
【００１１】
以下、具体的に詳述すると、
前記方立１３は、左右対の分割方立１３Ａ、１３Ｂからなり、左右の関係で組み合わされ一体を成すもので、一方側の分割方立１３Ａは、略方形状の中空断面を成し、対向面の室内がわ寄り位置には凹部１３ａが形成されているとともに、室外側の面には部材長手方向に沿って板状突片１３ｂ、Ｌ字状突片１３ｃが夫々形成されている。他方の分割方立１３Ｂも同様に、略方形状の中空断面を成し、対向面の室内がわ寄り位置には突片１３ｄが形成され、室外側の面には部材長手方向に沿って板状突片１３ｆ、Ｌ字状突片１３ｅが夫々形成されている。
【００１２】
前記分割方立１３Ａを縦枠３Ａの室内がわ面に一体的に組み付けるには、前記分割方立１３Ａの室外がわ面に形成されたＬ字状突片１３ｃを縦枠３Ａの室内がわ面に形成された断面Ｌ字状係止片２６ａに係止するとともに、分割方立１３Ａの室外がわ面に形成された板状突片１３ｂを縦枠３Ａの室内がわ面に形成された板状突片２７ａと重ね合わせ、両者を貫通する連結ビス４３，４３…によって連結を図る。この連結部には縦方向に沿ってカバー材３３が取り付けられる。
【００１３】
一方の分割方立１３Ｂを縦枠３Ｂの室内がわ面に一体的に組み付ける場合も同様に、前記分割方立１３Ｂの室外がわ面に形成されたＬ字状突片１３ｅを縦枠３Ｂの室内がわ面に形成された断面Ｌ字状係止片２６ｂに係止するとともに、分割方立１３Ｂの室外がわ面に形成された板状突片１３ｆを縦枠３Ｂの室内がわ面に形成された板状突片２７ｂと重ね合わせ、両者を貫通する連結ビス４３，４３…によって連結を図る。この連結部にも縦方向に沿ってカバー材３３が取り付けられる。
【００１４】
前記パネルユニットＵを構成する縦枠３Ａ、３Ｂの内、一方の縦枠３Ａは図２に示されるように、略方形断面の縦枠本体の室外がわ面において、その内方側にガラス支持部２０を備えるとともに、外方側に室外がわに延在する板部２１に押縁取付け片３ｃ、３ｃを備え、かつ外側見込み面にはウインドバリア取付け片２２ａとレインバリア取付け片２２ｂとが形成されている。他方の縦枠３Ｂも同様に、略方形断面の縦枠本体の室外がわ面において、その内方側にガラス支持部２０を備えるとともに、外方側に室外がわに延在する板部２１を備えるが、外側見込み面には前記ウインドバリア取付け片２２ａに係止されたウインドバリア２３が当接する突片２４ａと、前記レインバリア取付け片２２ｂに係止されたレインバリア２５が当接する突片２４ｂとが形成されている。前記押縁取付け片３ｃ、３ｃにはそれぞれ縦押縁６Ａ、６Ｂが取り付けられ、ガラスＧ、Ｇを間に挟んで、室内側および室外側にそれぞれ施工されたバックアップ材・シーリング材３４、３４により前記ガラスＧ、Ｇが嵌合溝内に支持されている。前記縦枠３Ａ、３ＢはパネルユニットＵが隣接配置された状態で左右対の関係で組み合わされる。
【００１５】
一方、前記パネルユニットＵを構成する上・下横枠４Ａ、４Ｂの内、一方の上横枠４Ａは図４に示されるように、断面略方形状の横枠本体の室外がわに延在して下方側に向けてガラス嵌合溝を形成するように押縁取付け用延在片２８が形成され、この押縁取付け用延在片２８に横押縁７Ａが取付けられ、前記横枠本体に取り付けられたガラス背面支持用ガスケット３０と、バックアップ材・シーリング材３１によってガラスＧ、Ｇが前記ガラス嵌合溝内に支持されている。
【００１６】
また、他方の下横枠４Ｂは、断面略方形状の横枠本体の室外がわに延在して上方側に向けてガラス嵌合溝を形成するように押縁取付け用延在片３２が形成され、この押縁取付け用延在片３２に横押縁７Ｂが取付けられ、ガラスＧ、Ｇを間に挟んで、室内側および室外側にそれぞれ施工されたバックアップ材・シーリング材３４、３４により前記ガラスＧ、Ｇがガラス嵌合溝内に支持されている。前記上横枠４Ａ、下横枠４Ｂは、パネルユニットＵが隣接配置された状態で上下対の関係で組み合わされる。
【００１７】
他方、中間横枠５は、図３に示されるように、単一中空断面の横枠本体の室外がわ面に、上下段配置でそれぞれ上側ガラス用押縁取付け片３５と、下側ガラス用押縁取付け片３６とが設けられ、前記上側ガラス用押縁取付け片３５に取り付けられた横押縁８Ａによって上側ガラス嵌合溝が形成されるとともに、前記下側ガラス用押縁取付け片３６に取り付けられた横押縁８Ｂによって下側ガラス嵌合溝が形成されている。ガラスＧ、Ｇは、室内側および室外側にそれぞれ施工されたバックアップ材・シーリング材３４またはガラス背面支持用ガスケット３０によりガラス嵌合溝内に支持されている。
【００１８】
以上、分割方立１３Ａ、１３Ｂを含みながら構成されたパネルユニットＵは、躯体（床）に固定された方立支持金具に対して順に取り付けられる。前記方立支持金具は、図５および図６に示されるように、躯体Ｆの端部にアンカー金具５０が埋設固定されるとともに、このアンカー金具５０に頭部が嵌合支持され、かつネジ部を外部に突出させて設けられた固定用ボルト５１およびナット５１Ａによってファスナー５２が固定された構造のもので、前記分割方立１３の上部側に取付け金具５３をボルト５４，５４によって固定しておき、図示しないクレーン設備等によって前記パネルユニットＵを取付け位置まで吊り運搬したならば、前記取付け金具５３とファスナー５２との間にライナー金具５５を介在させた状態で固定用ボルト５６およびナット５６Ａによって締結し固定する。なお、前記取付け金具５３の上部にはボルト保持用筒５３ａが一体的に設けられ、かつこのボルト保持用筒５３ａに螺入された上下方向調整ボルト５７の先端が前記ライナー金具５５より延在する上部フランジ片５５ａの水平面に当接することにより据え付け時に分割方立１３の鉛直方向の建付けが調整されるようになっている。前記カーテンウォール支持部は、各フロア毎に設けられ、相対的に下段側の方立１３頭部に下半部が嵌合され、ボルト５４によって固定された接合用部材５８の上部が上段側方立１３の中空部に挿入されることによって方立１３の連続性が確保されるようになっている。なお、前記ボルト保持用筒５３ａの内面に雌ネジを設け、上下方向調整ボルト５７を螺入してもよい。
【００１９】
前記パネルユニットＵ、Ｕ…を上下左右に隣接配置した状態において、水平方向に隣接するパネルユニットＵ間では、図２に示されるように、隣接する縦枠３Ａ、３Ｂ間においてレインバリア２５，ウインドバリア２３によって気水密性が確保されるようになっているとともに、上下方向に隣接するパネルユニットＵ、Ｕ間では、図４に示されるように、上枠は室内がわ寄り位置に部材長手方向に沿ってシールパッキン４２を有する起立壁４０を有し、上段側に設置されたパネルユニットＵの下枠４Ｂから垂下する垂下片４１が前記シールパッキン４２に接触することにより気水密性が確保されるようになっている。
【００２０】
一方、各パネルユニットＵ，Ｕ…の隅部が交合する目地交点部においては、図４に示されるように、隣接する上・下横枠４Ａ、４Ｂ間では、室外がわ寄り位置に上横枠４Ａの上面側に気密バリヤ３９を一体的に備えるレインバリア３８が縦目地Ｍを交差しながら両上枠４Ａ、４Ａ間に跨る所定区間に配設されるとともに、上枠４Ａの室内がわ寄り位置に、縦目地Ｍを交差しながら両上枠間に跨る所定区間にウインドバリヤ２９が夫々配設されている。この場合、前記レインバリヤ３８とウインドバリヤ２９との間に形成されている横樋４４が、水平方向目地ラインＬＳの基準線（下側）よりも深く形成されていることにより、前記ウインドバリヤ２９との間で高低差が確保され、水密性能の向上が図られている。
【００２１】
前記レインバリヤ３８は、断面略Ｌ字状を成すゴム系材料からなる定形シール材が用いられ、その上面側に、ある程度以上の弾性を有するように樹脂・ゴム等の発泡体等（以下、成形体という。）よりなる気密バリヤ３９を一体的に備え、縦目地Ｍを交差しながら両上枠４Ａ、４Ａ間に跨る所定区間に配設されている。設置状態では、上段側に設置されるユニットＵの下枠４Ｂから垂下する垂下片４５の先端が前記気密バリヤ３９に当接するようになっているとともに、レインバリア３８の舌片３８ａが下横枠４Ｂの下面に接触するようになっており、目地交点部からの雨水浸入を防止するとともに、後述のように、上段パネルユニットＵの縦目地から落下する雨水Ｒを受け止め、そのまま外部に排出するようになっている。
【００２２】
一方、前記ウインドバリヤ２９は、前記シールパッキン４２および垂下片４１による水平方向のシール部よりも上部側に縦目地Ｍを交差しながら両上枠４Ａ、４Ａ間に跨る所定区間に配設される成形体よりなる第１の気密バリヤ４６と、前記左右のパネルユニットＵ，Ｕ間において前記起立壁４０，４０同士の間隙部分に挿入されるとともに、前記シールパッキン４２の端面が当接する目地部気密バリヤ４７と、前記垂下片４１の下方側位置に縦目地Ｍを交差しながら両上枠４Ａ、４Ａ間に跨る所定区間に配設されるとともに、前記垂下片４１の先端が当接する成形体よりなる第２の気密バリヤ４８と、この第２の気密バリヤ４８の設置座面を形成する所定断面形状のゴム部材４９とが一体的に形成された定形シール材で、パネルユニットＵ，Ｕの設置状態では、前記第１の気密バリヤ４６が上枠４Ａと下枠４Ｂとに密着し、かつ下枠４Ｂから垂下する垂下片４１の先端が第２の気密バリヤ４８に当接することにより水密性が確保される。また、前記目地部気密バリヤ４７が起立壁４０、４０の間隙に嵌挿されることにより隙間が封鎖されると共に、シールパッキン４２の端面が当接することにより水平方向に沿ってシールの連続性が確保されるようになっている。なお、前記ゴム部材４９は、ウインドバリヤ２９の設置時に全体の変形を抑えるなど形状保持材を兼用するものである。
【００２３】
パネルユニットＵの一般部においては、等圧空間とされる前記横樋４４に雨水が浸入するが、この雨水は横樋４４の底面が室外がわに傾斜する傾斜面となっているため、図４に示されるように、横樋４４の室外がわ寄り位置から縦目地Ｍに落下した後、縦目地Ｍに沿って流れ、下段のパネルユニットＵ，Ｕ間のレインバリヤ３８上面に落下し、外部に排出される。一方、目地交点部では、不定形シール材を一切使用することなく、単に上枠４Ａ、４Ａ間に跨って設置されたウインドバリヤ２９により、すべての隙間が封鎖され完全な止水性が確保されるようになっている。
【００２４】
〔縦枠および横枠の接合部構造〕
次いで、図７〜図１０に基づいて、縦枠３Ａ、３Ｂと上下横枠４Ａ、４Ｂとの接合部構造について詳述する。
【００２５】
前記縦枠３Ａ、３Ｂは、図７に示されるように、見込み方向の縦枠側板部３ａと、縦枠側板部３ａの内面側であって相対的に室内側に位置する枠部３ｂと、縦枠側板部３ａの相対的に室外側に位置する押縁取付け片３ｃ、３ｃと、ウインドバリア取付け片２２ａと、レインバリア取付け片２２ｂとを有する断面形状を成している。これら各部分の内、横枠４Ａ、４Ｂとの接合に関係する部分は、前記縦枠側板部３ａ、枠部３ｂおよび押縁取付け片３ｃ、３ｃの部分である。
【００２６】
先ず、前記縦枠３Ａ、３Ｂと上横枠４Ａとの接続に当たっては、縦枠３Ａ、３Ｂの上端部を、図８に太鎖線ＴＵで示されるとともに、図９に斜視図で示されるように、縦枠３Ａ，３Ｂの上端を横樋４４形状に合わせて凹状部３ｄを形成するように切断する。また、図９に示されるように、上横枠４Ａの中空部下面形状に合わせるように、枠部３ｂを切除し、縦枠側板部３ａの板面を露出させるようにする。一方、上横枠４Ａの端部仕口は、図７に太鎖線ＹＫで示すように、段部を設けることなく同一面で切断する。
【００２７】
以上の縦枠３Ａおよび上横枠４Ａの仕口処理を終えたならば、同図に示されるように、上横枠４Ａの端面を前記縦枠側板部３ａの板面に当接させるように接合する。この際、縦枠３Ａ、３Ｂの押縁取付け片３ｃ、３ｃは、縦枠側板部３ａの板面よりも外方側に位置させるようにしてあるため、前記押縁取付け片３ｃ、３ｃについては加工処理を必要としない。また、前記押縁取付け片３ｃを縦枠側板部３ａの板面よりも外方側に位置させることにより、該押縁取付け片３ｃ部に水抜き部Ｋが形成されるようになっている。
【００２８】
次いで、前記縦枠３Ａ、３Ｂと下横枠４Ｂとの接続に当たっては、縦枠３Ａ、３Ｂの下端部を、図８に太鎖線ＴＤで示されるとともに、図１０に斜視図で示されるように、縦枠３Ａ，３Ｂの下端は下横枠４Ｂの中空部形状に合わせて段状部３ｅを形成するように切断する。また、図１０に示されるように、下横枠４Ａの中空部下面形状に合わせるように、枠部３ｂを切除し、縦枠側板部３ａの板面を露出させるようにする。一方、下横枠４Ｂの端部仕口は、図７に太鎖線ＹＫで示すように、段部を設けることなく同一面で切断する。
【００２９】
以上の縦枠３Ａおよび下横枠４Ｂの仕口処理を終えたならば、同図に示されるように、下横枠４Ｂの端面を前記縦枠側板部３ａの板面に当接させるように接合する。この際、縦枠３Ａ、３Ｂの押縁取付け片３ｃ、３ｃは、縦枠側板部３ａの板面よりも外方側に位置させるようにしてあるため、前記押縁取付け片３ｃ、３ｃについては加工処理を必要としない。なお、図１１に縦枠３Ａ、３Ｂと下横枠４Ｂとの接合状態を示す。
【００３０】
〔縦枠と横枠との接合部シール構造〕
次いで、前記縦枠３Ａ、３Ｂと横枠４Ａ、４Ｂとの接合部シール構造について詳述する。なお、説明は代表的に縦枠３Ａと下横枠４Ｂとの接合部について行い、上横枠４Ａとの接合部分については上下対称となるだけであるため説明は省略する。
【００３１】
前記縦枠３Ａと下横枠４Ｂとの接合部では、縦枠断面の内、図１２(C)に斜線で示される複数の板材、具体的には前記枠部３ｂを成す室内側後部側壁３ｅ、内面がわ側板部３ｇおよび室外側前部側壁３ｆの各板材端部が下横枠４Ｂの上面に当接している。
【００３２】
従来のシール構造であれば、前記内面がわ側板部３ｇの横枠当接面（線）に沿ってシールを施工し水密ラインを形成するのであるが、本発明では前記内面がわ側板部３ｇの横枠当接面（線）のほぼ全幅に亘るシール施工を省略し、一部分のシール施工のみで水密性を確保するようにする。
【００３３】
具体的には、縦枠３Ａの断面の内で、カーテンウォールパネル面に近接する室内側部分において、水密的に室内外を分断する水密ラインＫを設定する。本例の場合には、縦枠側板部３ａと、室外側前部側壁３ｆと、内面がわ側板部３ｇとで囲まれたライン、すなわち図１２(C)に太鎖線で示されたコ字状線が水密ラインＫとして設定されている。そして、前記水密ラインＫに沿って前記縦枠側板部３ａ、室外側前部側壁３ｆ、内面がわ側板部３ｇの各板材端部と、下横枠４Ｂ上面との隙間を封鎖するシールを施工することにより、前記内面がわ側板部３ｇの横枠当接面（線）のほぼ全幅に亘るシール施工を省略する。この場合、前記水密ラインＫは、縦枠の断面形状にもよるが、本例のように、縦枠が枠部３ｂを有する場合には縦枠中空部の外側に設定するようにするのが望ましく、かつ室外側へ開放する断面コ字状の凹部を形成し、この凹部の室外側でシールを行うようにするのが望ましい。
【００３４】
前記水密ラインＫを封鎖するシール施工の第１例としては、図１２に示されるように、前記縦枠３Ａ、３Ｂの室外側前部側壁３ｆの下端よりやや上方位置に下横枠４Ｂとの間に間隙を有するようにバックアップ材５１を接着剤により固定し、前記バックアップ材５１と、縦枠側板部３ａと、室外側前部側壁３ｆと、内面がわ側板部３ｇと、下横枠４Ｂ上面との５面によって囲まれた凹部内に不定形シール材５２を充填するようにする。充填されたシール材５２は、縦枠側板部３ａ、室外側前部側壁３ｆ、内面がわ側板部３ｇの鉛直方向面と、下横枠４Ｂ上面の水平方向面との２面間に跨るように施工される。
【００３５】
上記第１例に係るシール態様においては、バックアップ材をシール材の裏当材として使用するのではなく、シール充填空間の上面形成材として使用し、縦枠板材を裏当材としながら、バックアップ材、前記縦枠板材および横枠の上面によって囲まれた凹部内にシール材を充填するようにしているため、従来は縦枠の端面を含めて２回に分けて行っていたシール工事が１回のシール工事で済むようになり施工性が格段に向上するようになる。すなわち、充填されたシール材は、縦枠および横枠の室外側に露出する接合部を縦枠板材と横枠面との二表面間に跨ってシールするため、接合隙間を確実に封鎖するようになる。さらに、バックアップ材を用いることで接着部形状を規定でき、接着面を広く取ることが可能となり、長期に亘り水密性を確保できるようになるとともに、シール部が目視できるためシール施工が不良箇所無く確実に行えるようになる。
【００３６】
前記水密ラインＫを封鎖するシール施工の第２例としては、図１３に示されるように、縦枠側板部３ａ、室外側前部側壁３ｆ、内面がわ側板部３ｇの鉛直方向面および横枠上面の水平方向面に夫々接着面を有する定形ブロック状シール材５３によりシールを行うようにしてもよい。さらには、図１４に示されるように、縦枠側板部３ａ、室外側前部側壁３ｆ、内面がわ側板部３ｇの鉛直方向面および横枠上面の水平方向面に夫々接着面を有する定形シート状シール材５４によりシールを行うようにしてもよい。
【００３７】
なお、前記水密ラインＫを封鎖するシール施工は、前記縦枠側板部３ａと、室外側前部側壁３ｆと、内面がわ側板部３ｇとによって囲まれた方形部分とする以外に、前記コ字状の水密ラインＫに沿ってコ字状に行うようにしてもよい。要は、水密ラインＫが隙間無く封鎖される態様でシールが施工できればよい。
【００３８】
【発明の効果】
以上詳説のとおり本発明によれば、縦枠と横枠との組み立て後に、縦枠の端面が横枠上面またか下面に当接する部位において、縦枠の部材断面の内、室内外方向に沿う横枠当接面（線）のほぼ全幅に亘るシール施工を省略でき、一部分のみのシール施工で水密性を確保することが可能となる。すなわち、水密的に室内外を分断する水密ラインを、好ましくは縦枠の室外側に断面コ字状の凹部面に設定し、縦枠と横枠の接合面の側面を室外側からシールする構成としたため、従来のように、縦枠当接端面と横枠表面（上下面）との間を室内外の全長に亘って端面でシールすることなくシール施工できるようになるとともに、１回のシール施工で水密性を確保できるようになる。
【図面の簡単な説明】
【図１】  ユニット式カーテンウォールの正面図である。
【図２】  図１のII−II線矢視図である。
【図３】  図１のIII−III線矢視図である。
【図４】  図１のIV−IV線矢視図である。
【図５】  方立支持部を示す平面図である。
【図６】  その側面図である。
【図７】  横枠仕口形状を示す横断面図である。
【図８】  縦枠仕口形状を示す縦断面図である。
【図９】  縦枠３Ａ、３Ｂと上横枠４Ａとの接合部分解斜視図である。
【図１０】  縦枠３Ａ、３Ｂと下横枠４Ｂとの接合部分解斜視図である。
【図１１】  その接合状態斜視図である。
【図１２】  縦枠と横枠との接合部シール構造を示す、(A)は正面図、(B)は(A)のB-B線矢視図、(C)は(A)のC-C線矢視図である。
【図１３】  水密ラインＫを封鎖するシール態様の他例を示す断面図である。
【図１４】  水密ラインＫを封鎖するシール態様の他例を示す断面図である。
【図１５】  従来例における縦枠と横枠との接合部シール構造を示すカーテンウォール背面図である。
【図１６】  図１５のXVI-XVI矢視図である。
【符号の説明】
１…カーテンウォール、３Ａ・３Ｂ…縦枠、４Ａ…上枠、４Ｂ…下枠、５…中間横枠、６Ａ・６Ｂ…縦押縁、７Ａ・７Ｂ…横押縁、３８…レインバリヤ、２９…ウインドバリヤ、３９…気密バリヤ、４０…起立壁、４２…シールパッキン、４４…横樋、４６…第１の気密バリヤ、４７…目地部気密バリヤ、４８…第２の気密バリヤ、４９…ゴム部材、Ｍ…縦目地、Ｕ…パネルユニット、ＬＳ…横目地水平ライン、３ａ…縦枠側板部、３ｂ…枠部、３ｃ…押縁取付け片、３ｅ…室内側後部側壁、３ｆ…室外側前部側壁材、３ｇ…内面がわ側板部、５１…バックアップ材、５２…不定形シール材、５３…ブロック状定形シール材、５４…シート状定形シール材
【図１】
0003912577.tif 000002
【図２】
0003912577.tif 000003
【図３】
0003912577.tif 000004
【図４】
0003912577.tif 000005
【図５】
0003912577.tif 000006
【図６】
0003912577.tif 000007
【図７】
0003912577.tif 000008
【図８】
0003912577.tif 000009
【図９】
0003912577.tif 000010
【図１０】
0003912577.tif 000011
【図１１】
0003912577.tif 000012
【図１２】
0003912577.tif 000013
【図１３】
0003912577.tif 000014
【図１４】
0003912577.tif 000015
【図１５】
0003912577.tif 000016
【図１６】
0003912577.tif 000017